(57)【要約】【課題】衣服にできた毛玉を簡単にとることができ、衣服の手入れが容易に行える毛玉取り用ブラシを提供する。  【解決手段】、列毎に列方向における植毛束の植毛位置をその植毛間隔の半分の長さずらし、植毛束の列方向の長さを、列方向に隣接する植毛束間の隙間よりも長くしているので、行方向にブラッシングすると毛玉の通り抜ける隙間がなく、必ず何れかの植毛束の毛に毛玉がひっかかる。さらに、毛玉取り用ブラシの毛先を平面にカットし、角を鋭利にしているので、毛玉が植毛束の毛にひっかかりやすい。毛玉を毛先に引掛けた状態でさらに行方向に毛玉取り用ブラシ１を横滑りさせられる。横滑りが行われたときブラシの毛の長さはブラシ基台３表面から５〜６ｍｍにしているので腰が強く折れない。従って、毛玉に対してブラッシング方向の力を十分に作用させることが出来、毛玉を衣服から切り取ることができる。【選択図】  図５
0003106058.tif 000002
【実用新案登録請求の範囲】
【請求項１】
複数本の毛を束ねた植毛束を、一定間隔でブラシ台の表面に行列に植毛した毛玉取り用ブラシであって、
列毎に、列方向における植毛束の植毛位置を植毛間隔の半分の長さずらして
前記植毛束の列方向の長さは、列方向に隣接する植毛束間の隙間よりも長く、
前記植毛束の毛は、前記ブラシ台表面からの長さを５〜６ｍｍとし、その先端を平面にカットした毛玉取り用ブラシ。
【考案の詳細な説明】
【技術分野】
【０００１】
この考案は、衣服に出来た毛玉を取る毛玉取り用ブラシに関する。
【背景技術】
【０００２】
従来、衣服に糸くずやほこりが付いていると見栄えが悪い。衣服に付いた糸くずやほこりをとるのに、ブラシが利用されている。この種のブラシは、適当な長さにカットした毛を束ねた植毛束をブラシ基台の全面に植毛したものでる。例えば、特許文献１に示されているように、豚の毛の毛根部分に近い剛毛部分を３．８〜５．１ｃｍに切断した毛を束ねた植毛束をブラシ基台の全面に植毛したものがある。
【特許文献１】実開平６−４１５４１号公報
【考案の開示】
【考案が解決しようとする課題】
【０００３】
しかしながら、繊維の小さなもつれや毛先についたほこりや汚れが絡まり合って大きくなった毛玉が衣服にできることがある。糸くずやほこりと同様に毛玉が出来た衣服を着用する者の多くが見栄えが悪いと感じる。従来の糸くずやほこりをとるブラシは、特許文献１のブラシは毛が長いので、毛の腰が弱い。このため、この種のブラシで毛玉が出来た衣服をブラッシングしても、毛玉を引掛けた毛の腰がおれて、衣服の繊維である毛玉をとることができない。
【０００４】
ブラッシングで取ることが出来なかった毛玉のとり方としては、例えば毛玉を一つずつハサミでカットする方法があるが、とても手間のかかる作業である。また、衣服に押し付けて毛玉をカットする電動式の毛玉取り機も実用化されているが、高価である。
【０００５】
この考案の目的は、衣服にできた毛玉を簡単にとることができ、衣服の手入れが容易に行える安価な毛玉取り用ブラシを提供することにある。
【課題を解決するための手段】
【０００６】
この考案の毛玉取り用ブラシは、上記課題を解決するために以下の構成を備えている。
複数本の毛を束ねた植毛束を、一定間隔でブラシ台の表面に行列に植毛した毛玉取り用ブラシであって、
列毎に、列方向における植毛束の植毛位置を植毛間隔の半分の長さずらして
前記植毛束の列方向の長さは、列方向に隣接する植毛束間の隙間よりも長く、
前記植毛束の毛は、前記ブラシ台表面からの長さを５〜６ｍｍとし、その先端を平面にカットした。
【０００７】
この構成では、衣服に出来た毛玉を取るとき行方向にブラッシングする。列方向における植毛束の植毛位置を、列毎にその植毛間隔の半分の長さずらしている。また植毛束の列方向の長さは、列方向に隣接する植毛束間の隙間よりも長い。従って、行方向にブラッシングすると隙間がなく、必ず何れかの植毛束の毛に毛玉を引っ掛かけることができる。また、前記植毛束の毛は毛先の先端を平面にカットしてあるので毛先に角があり、その角に毛玉がひっかかりやすい。さらに、前記植毛束の毛は、前記ブラシ台表面から５〜６ｍｍの長さにカットしているので、腰が強く折れない。従って、毛玉に対してブラッシング方向の力を十分に作用させることが出来、毛玉を衣服から切り取ることができる。また、毛玉取り用ブラシは板に毛を植毛しただけの簡単な構造なので安価にできる。
【考案の効果】
【０００８】
この考案によれば、衣服にできた毛玉をブラッシングするだけで簡単にとることが出来、又、ブラシ本体を安価に製造できる。
【考案を実施するための最良の形態】
【０００９】
以下、この発明の実施形態である毛玉取り用ブラシについて説明する。
【００１０】
図１は、この発明の実施形態の毛玉取り用ブラシの斜視図であり、図２はこの発明の実施形態の毛玉取り用ブラシの上面図であり、図３はこの発明の実施形態の毛玉取り用ブラシの下面図であり、図４はこの発明の実施形態の毛玉取り用ブラシの断面図である。この実施形態の毛玉取り用ブラシ１は図１において紙面に対して垂直に上下に切った断面が図４に示す凸状である。以下この断面で示されている上側の突出部分を取手部２、下部の台座部分をブラシ基台３と呼ぶ。図１において取手部２の左右両側の端面は上下方向に円弧状である。毛玉取り用ブラシ１は、図３に示すように行方向及び列方向にそれぞれ一定の間隔で、植毛束５をブラシ基台３の下面に植毛した構成である。植毛束５は、後述するように複数本の毛４を束ねたものである。ここで言う、行方向とは、図３における上下方向であり、列方向とは、図３における左右方向である。ブラシ基台３と取手部２は樹脂の一体成型品である。また材質は、ポリプロピレンである。取手部２は列方向の長さが１００ｍｍである。取手部２には行方向に貫通する開口部６が形成されている。この開口部６は列方向の長さが９０ｍｍ、行方向の長さが２０ｍｍ、高さが２０ｍｍである。衣服をブラッシングするとき開口部６の一方の側から指を通し、取手部２を握る。開口部６はその上面をゆるやかな波形に形成している。従って、取手部２を握ったときに、四指の腹が、角に当らない。さらに、毛玉取り用ブラシ１は、取手部２を握った手の親指の腹が位置するブラシ基台上面の角に窪み部７を形成している。毛玉取り用ブラシ１は、この窪み部７をブラシ基台上面の４つの角にそれぞれ形成しており、取手部２を左右どちらの手で、どちら向きに握っても親指の腹が必ずいずれかの窪み部７に位置する。このため、取手部２を左右どちらの手で、どちら向きに握っても、親指の腹で窪み部７を押圧し、毛先を衣服に押さえつける方向の力を加えることができる。したがって、この実施形態の毛玉取り用ブラシ１は、使用者の利き手が左右どちらかであっても、利き手で取手部２を握って使用できる。また、取手部２を握るときに、毛玉取り用ブラシ１の向きを気にする必要もない。
【００１１】
なお、毛玉取り用ブラシ１を使用するときに取手部２を握る向きを決めるのであれば、窪み部７はブラシ基台上面の隣合う２つの角に形成すればよい。また、取手部２を右手で握る、右利き用の毛玉取り用ブラシ１とするのであれば、窪み部７は取手部２を右手で握ったときに親指の腹が位置する角にのみ形成すればよい。この場合、取手部２を握る向きを制限しなければ、対向する２つの角に窪み部７を形成すればよいし、取手部２を握る向きを決めるのであれば、該当する１つの角に窪み部７を形成すればよい。同様に、取手部２を左手で握る、左利き用の毛玉取り用ブラシ１とするのであれば、窪み部７は取手部２を左手で握ったときに親指の腹が位置する角にのみ形成すればよい。この場合、取手部２を握る向きを制限しなければ、対向する２つの角に窪み部７を形成すればよいし、取手部２を握る向きを決めるのであれば、該当する１つの角に窪み部７を形成すればよい。
【００１２】
次に植毛束５について説明する。植毛束５の毛４の長さは６〜７ｍｍである。植毛束５は約３０本の毛４を束めたものである。その材質は、ナイロンである。また、毛４の太さは、直径１０〜１２μｍである。ブラシ基台３の裏面は植毛束５を埋め込む凹部を行列に形成している。図５に示すようにこの凹部の列方向の長さａおよび列方向に隣接する凹部間の間隙ｂはそれぞれａ＝２ｍｍであり、ｂ＝１ｍｍである。また、列毎に列方向における凹部の形成位置をその形成間隔の半分の長さずらしている。毛玉取り用ブラシ１は、植毛束５をブラシ基台３の各凹部に埋め込んでいる。又全ての凹部に植毛束を埋め込んだ後に、ブラシ基台３の表面から長さが５〜６ｍｍになるように毛先をカットしている。このため、毛の腰が強く植毛束５の毛先に引掛けた毛玉を衣服からとることができる。さらに、植毛束５の毛は、図６に示すように毛先の先端を鋭利な刃物で平面にカットし、角を鋭利にしているので、毛玉が植毛束５の毛にひっかかりやすい。
【００１３】
この毛４を３０本束ねた植毛束の直径は略２ｍｍであり、このため凹部の大きさを２ｍｍとしている。図５に示したようにブラシ基台３に植毛束を埋め込む凹部を形成しているので、隣接する２つの列において一方の列の２つの植毛束５の真中に他方の列の植毛束５が位置している。したがって、行方向にブラッシングすると毛玉が当らない隙間が生じない。
【００１４】
なお、植毛束５の列方向の長さは、列方向に隣接する植毛束間の隙間よりも長ければどんな長さでもいい。
【００１５】
植毛束５が植毛されているブラシの面の行方向の長さは４０ｍｍ、列方向の長さは９０ｍｍであり、手でもってブラッシングするのにちょうど使いやすい大きさにしている。
【００１６】
この構成の毛玉取り用ブラシ１を用いて衣服に出来た毛玉を取るときの使用方法について説明する。衣服をブラッシングするとき開口部６の一方の側から指を通し、取手部２の部分を握る。開口部６の上面は波形に形成されているので、取手部２を握ったときに、四指の腹が角に当らない。取手部２を握った右手の親指の腹で窪み部７を押圧して毛先を衣服に押さえつけながら、毛玉取り用ブラシ１を繊維に沿って行方向に横滑りさせるブラッシングを行う。
【００１７】
毛玉取り用ブラシは、列毎に列方向における植毛束５の植毛位置をその植毛間隔の半分の長さずらし、植毛束５の列方向の長さを列方向に隣接する植毛束５間の隙間よりも長くしているので、行方向にブラッシングすると毛玉が通り抜ける隙間がなく、必ず何れかの植毛束５の毛に毛玉がひっかかる。さらに、毛玉取り用ブラシ１の毛先を平面にカットし、角を鋭利にしているので、毛玉が植毛束５の毛にひっかかりやすい。
【００１８】
毛玉を毛先に引掛けた状態でさらに行方向に毛玉取り用ブラシ１を横滑りさせられる。横滑りが行われたときブラシの毛の長さはブラシ基台３表面から５〜６ｍｍにしているので腰が強く折れない。従って、毛玉に対してブラッシング方向の力を十分に作用させることが出来、毛玉を衣服から切り取ることができる。
【００１９】
従って、毛玉取り用ブラシを１をブラッシングするだけで毛玉が簡単にとれる。
【００２０】
植毛束は毛４の長さについては、いろいろな長さで実験を行った結果、植毛束５の毛４がブラシ基台から６ｍｍを超える長さであると腰が弱すぎて、毛玉に対してブラッシング方向の力を十分に作用させることが出来ず、毛玉を衣服から切り取ることができない。また、植毛束５の毛４がブラシ基台３から５ｍｍ未満だと、毛４が短すぎ、腰が強すぎて衣服の繊維までやぶいてしまう。植毛束５の毛は、前記ブラシ基台３表面からの長さが５〜６ｍｍにするのが適当であり、この長さであれば植毛束５の毛先に引掛けた毛玉を衣服の繊維まで破くことなく衣服からとることができる。
【図面の簡単な説明】
【００２１】
【図１】この発明の実施形態の毛玉取り用ブラシを示す斜視図である。
【図２】この発明の実施形態の毛玉取り用ブラシを示す上面構成図である。
【図３】この発明の実施形態の毛玉取り用ブラシを示す下面構成図である。
【図４】この発明の実施形態の毛玉取り用ブラシを示す断面図である。
【図５】この発明の植毛束が配列されている一部の拡大図である。
【図６】この発明の実施形態の毛の形状を示す図である。
【符号の説明】
【００２２】
１−毛玉取り用ブラシ
２−取手部
３−ブラシ基台
４−毛
５−植毛束
６−開口部
７−窪み部
【図１】
0003106058.tif 000003
【図２】
0003106058.tif 000004
【図３】
0003106058.tif 000005
【図４】
0003106058.tif 000006
【図５】
0003106058.tif 000007
【図６】
0003106058.tif 000008